(57)【要約】【課題】垂直方向の緩衝性を向上させる。【解決手段】外容器１０に緩衝性の内容器２０を内装し、内容器２０は、胴部２１の下部に下向きドーム状の底部２３を形成するとともに、断面山形の中空の突条２３ａを介して外容器１０の底面１３上に支持する。【選択図】図１
2010285157.tif 000002
【特許請求の範囲】
【請求項１】
上向きの口部を有する有底角筒状の外容器と、該外容器に内装する緩衝用の内容器とを備えてなり、該内容器は、前記外容器の各側壁に対応する４面を有する胴部と、該胴部の下部の下向きドーム状の底部と、前記胴部の上部に形成する円形の開口部とを有し、前記胴部の各面は、それぞれクッション性の複数の突部を介して前記外容器の各側壁の内面に当接し、前記底部は、クッション性の突部を介して前記外容器の底面に当接し、前記開口部は、上端の外フランジを介して前記口部の内周との間に小さな隙間を形成することを特徴とする錠剤用の包装容器。
【請求項２】
前記胴部の各面は、上下方向の凹溝を介して区切ることを特徴とする請求項１記載の錠剤用の包装容器。
【請求項３】
前記胴部の各面の突部は、円錐状の突起、断面山形の突条の少なくとも一方により構成することを特徴とする請求項１または請求項２記載の錠剤用の包装容器。
【請求項４】
前記底部の突部は、断面山形の突条により構成することを特徴とする請求項１ないし請求項３のいずれか記載の錠剤用の包装容器。
【請求項５】
前記開口部には、前記口部に内接する複数の円弧部と、平坦な切欠部とを周方向に交互に形成することを特徴とする請求項１ないし請求項４のいずれか記載の錠剤用の包装容器。
【発明の詳細な説明】
【技術分野】
【０００１】
この発明は、割れたり欠けたりし易い錠剤を好適に収納して保護することができる錠剤用の包装容器に関する。
【背景技術】
【０００２】
機械的な衝撃によって割れたり欠けたりし易い錠剤を収納するために、緩衝用の二重容器が提案されている（特許文献１）。
【０００３】
二重容器は、剛性が高い外容器に緩衝用の内容器を内装して構成されている。内容器は、薄肉の変形可能なプラスチック製であって、内部を負圧にして収縮させることにより外容器の口部から外容器内に挿入し、外容器内においてエアを吹き込んで膨ませ、必要十分な内容積を確保する。なお、内容器は、円筒状の底付きの胴部に上向きの開口部を形成し、開口部の上端の外フランジを外容器の口部の上端に載せて外容器のキャップで挟み込むとともに、胴部の下面の板状のスペーサを介して外容器の底面上に支持されている。また、胴部の外面には、多数のクッション性の縦リブが等間隔に形成されており、胴部は、水平方向の衝撃を受けると、縦リブを介して外容器の内壁面に当接する。
【先行技術文献】
【特許文献】
【０００４】
【特許文献１】特開２００４−３４５７０９号公報
【発明の概要】
【発明が解決しようとする課題】
【０００５】
かかる従来技術によるときは、内容器は、外容器のキャップにより上端の外フランジを外容器の口部の上端に挟み込んで保持し、クッション性のない板状のスペーサを介して胴部の下端を外容器の底面上に支持するため、垂直方向の緩衝性に改善の余地があり、キャップの気密性が損われるおそれがあるという問題があった。
【０００６】
そこで、この発明の目的は、かかる従来技術の問題に鑑み、内容器の上端の外フランジを外容器の口部内にフリーに解放するとともに、クッション性の突部を介して下向きドーム状の底部を外容器の底面上に支持することによって、垂直方向の緩衝性を向上させ、キャップの気密性の問題を生じることがない錠剤用の包装容器を提供することにある。
【課題を解決するための手段】
【０００７】
かかる目的を達成するためのこの発明の構成は、上向きの口部を有する有底角筒状の外容器と、外容器に内装する緩衝用の内容器とを備えてなり、内容器は、外容器の各側壁に対応する４面を有する胴部と、胴部の下部の下向きドーム状の底部と、胴部の上部に形成する円形の開口部とを有し、胴部の各面は、それぞれクッション性の複数の突部を介して外容器の各側壁の内面に当接し、底部は、クッション性の突部を介して外容器の底面に当接し、開口部は、上端の外フランジを介して口部の内周との間に小さな隙間を形成することをその要旨とする。ただし、ここでいう小さな隙間とは、収納対象の錠剤が入り込んだり挟まったりするおそれがない小さな寸法の隙間をいう。
【０００８】
なお、胴部の各面は、上下方向の凹溝を介して区切ることができる。
【０００９】
また、胴部の各面の突部は、円錐状の突起、断面山形の突条の少なくとも一方により構成してもよく、底部の突部は、断面山形の突条により構成してもよい。
【００１０】
さらに、開口部には、口部に内接する複数の円弧部と、平坦な切欠部とを周方向に交互に形成することができる。
【発明の効果】
【００１１】
かかる発明の構成によるときは、内容器は、上端の外フランジが外容器の口部内において口部の内周との間に小さい隙間を形成してフリーに解放されているため、キャップの気密性を損なうおそれがない。また、内容器は、クッション性の突部を介して胴部の下部の下向きドーム状の底部が外容器の底面上に支持されているため、たとえば全体を落下させるなどの原因により大きな上下方向の衝撃を受けても、ドーム状の底部、クッション性の突部の一方または双方が弾性変形して効果的に衝撃を吸収し、内部の錠剤を保護することができ、垂直方向の緩衝性を向上させることができる。なお、内容器は、水平方向の衝撃を受けても、クッション性の複数の突部を介して胴部の各面が外容器の各側壁の内面に当接しているため、同様に内部の錠剤を有効に保護することができる。
【００１２】
ただし、外容器は、十分な剛性を有するキャップ付きの密閉容器である。また、内容器は、負圧を加えることにより収縮可能な薄肉のプラスチック製であって、外容器の口径より小さく収縮させて外容器に挿入し、エアを吹き込んで膨らませることにより、外容器内において所定の形状に復帰させる。かかる内容器は、たとえばポリエチレン樹脂を薄肉にブロー成形して一体成形することができる。
【００１３】
胴部の各面は、上下方向の凹溝を介して区切ることにより、内部を負圧にして内容器の全体を円滑に収縮させることができる。なお、各凹溝は、９０°前後の角度で外側にＶ字状に開く形態に形成することが好ましい。
【００１４】
胴部の各面の突部は、クッション性と、成形上の便宜とを考慮して、円錐状の突起、断面山形の突条を適宜使い分けることが好ましい。たとえば、成形用の割り型の分離方向に平行な２面には、パーティングライン上に円錐状の突起を設けることができるが、それ以外の場所には、割り型の分離方向に延びる断面山形の突条を設けるものとする。また、割り型の分離方向と直交する２面には、円錐状の突起を任意の位置に配置することができる。底部の突部についても、同様である。ただし、底部の突部は、必要十分に大きなクッション性を実現するために、１条または２条以上の断面山形の突条を割り型の分離方向に配置することが好ましい。
【００１５】
開口部の周方向に複数の円弧部と平坦な切欠部とを交互に形成すれば、円弧部を介して内容器の開口部を外容器の口部内に安定に位置決めすることができ、各切欠部と口部の内周との間に形成される隙間を介し、外容器内において内容器を膨らませる際に外容器内のエア抜きをすることができる。
【図面の簡単な説明】
【００１６】
【図１】使用状態を示す全体構成図
【図２】図１のＸ−Ｘ線矢視相当断面図
【図３】内容器の全体斜視図
【図４】内容器の構成説明図（１）
【図５】内容器の構成説明図（２）
【図６】要部構成説明図
【発明を実施するための形態】
【００１７】
以下、図面を以って発明の実施の形態を説明する。
【００１８】
錠剤用の包装容器は、有底角筒状の外容器１０と、外容器１０に内装する緩衝用の内容器２０とを備えてなる（図１、図２）。なお、内容器２０内には、錠剤Ｔ、Ｔ…が収納される。
【００１９】
外容器１０の胴部１１は、四隅部を円弧状に丸めた角筒状に形成されている。胴部１１の上端には、円形の口部１２が上向きに開口され、胴部１１の下端には、底面１３が形成されている。口部１２の外周には、キャップ３０用の雄ねじ１２ａが形成されており、雄ねじ１２ａの下方には、リブ１２ｂが全周に形成されている。なお、外容器１０は、剛性が高い硬質のプラスチック材料により一体成形されている。
【００２０】
キャップ３０は、外容器１０側の雄ねじ１２ａに適合する雌ねじ３１を有するねじ式の着脱キャップである。キャップ３０の天面には、パッキン３２、ホルダ３３を介して乾燥剤Ｄが保持されており、乾燥剤Ｄは、キャップ３０を気密に閉じることにより、内容器２０内の錠剤Ｔ、Ｔ…を乾燥雰囲気に保つことができる。ただし、乾燥剤Ｄは、必要に応じて設ければよく、これを省略してもよい。キャップ３０の外周には、滑り止め用の粗いローレット３４、３４…が形成されている。
【００２１】
内容器２０は、中間の胴部２１と、胴部２１の上部に形成する円形の開口部２２と、胴部２１の下部の下向きドーム状の底部２３とを有する（図３）。胴部２１は、上下方向の断面Ｖ字状の凹溝２４、２４…を介し、外容器１０の胴部１１の各側壁に対応する４面２１ａ、２１ａ、２１ｂ、２１ｂに区切られている（図２、図３）。各凹溝２４は、胴部２１の上下の肩部２５、底部２３にまで延びており、外側に向けて９０°に近い角度に開いている。また、胴部２１の一方の相対向する２面２１ａ、２１ａには、それぞれ上下の水平方向の突条２１ｃ、２１ｃと中央部の円錐状の突起２１ｄとが形成され、他方の相対向する２面２１ｂ、２１ｂには、それぞれ４隅部の円錐状の突起２１ｄ、２１ｄ…と中央部の突起２１ｄとが形成されている。
【００２２】
開口部２２の上端には、外フランジ２２ａが形成されている（図３、図４（Ａ））。なお、図４（Ａ）、（Ｂ）は、それぞれ図３の上面図、下面図である。
【００２３】
外フランジ２２ａの下方には、開口部２２の全周に及ぶ凹溝２２ｂが形成されており、凹溝２２ｂの下方には、円弧部２２ｃ、２２ｃ…と、平坦な切欠部２２ｄ、２２ｄ…とが交互に周方向に形成されている。ただし、各円弧部２２ｃの下部には、水平方向のリブ２２ｅが突設されている。
【００２４】
底部２３の最下部には、突条２３ａが形成されている（図３、図４（Ｂ））。突条２３ａは、胴部２１の突条２１ｃ、２１ｃ…と同方向に配置されている。
【００２５】
内容器２０の各突条２１ｃは、断面山形の中空に形成されている（図５（Ａ））。また、円錐状の各突起２１ｄも、中空に形成されている（図５（Ａ）、（Ｂ））。さらに、底部２３の突条２３ａも、断面山形の中空に形成されている。ただし、図５（Ａ）、（Ｂ）は、それぞれ図３のＸ1 、Ｘ2 矢視相当の半断面図である。
【００２６】
内容器２０は、変形可能な薄肉に一体成形されている。そこで、内容器２０は、開口部２２から吸引して内部を負圧にすると、凹溝２４、２４…を基点にして屈曲するようにして収縮し、口部１２を介して外容器１０内に挿入することができる。ただし、各面２１ａ、２１ｂの有効幅ｗは、口部１２の内径より大きくてもよく、小さくてもよいものとする（図２）。また、内容器２０は、外容器１０内においてエアを吹き込むと、元の正規の形状に復帰する。ただし、外容器１０内の内容器２０は、各面２１ａ、２１ａ、２１ｂ、２１ｂを外容器１０の胴部１１の各側壁に正しく対面させるものとする。
【００２７】
外容器１０内において、内容器２０は、一方の２面２１ａ、２１ａがそれぞれ上下の突条２１ｃ、２１ｃ、中央の突起２１ｄを介して外容器１０の側壁の内面に当接し、他方の２面２１ｂ、２１ｂが突起２１ｄ、２１ｄ…を介して外容器１０の側壁の内面に当接する。また、底部２３は、突条２３ａを介して外容器１０の底面１３に当接し（図１）、開口部２２は、外フランジ２２ａを介して外容器１０の口部１２の内周との間に小さな隙間ｄを形成する（図６（Ａ））。すなわち、外フランジ２２ａは、口部１２内にフリーに解放されている。
【００２８】
また、このとき、開口部２２の周囲の円弧部２２ｃ、２２ｃ…は、口部１２に内接して開口部２２を口部１２内に位置決めし（図６（Ａ）、（Ｂ））、各円弧部２２ｃの下部のリブ２２ｅ、２２ｅ…は、口部１２の下方のリブ１２ｂ側に突出して内容器２０を抜け止めする。一方、平坦な切欠部２２ｄ、２２ｄ…は、それぞれ口部１２の内周との間に隙間ｇを形成し、隙間ｇ、ｇ…は、外容器１０内において内容器２０を膨らませる際のエア抜きとして作用する。ただし、図６（Ａ）は、図１の要部拡大図であり、図６（Ｂ）は、同図（Ａ）のＸ3 −Ｘ3 線矢視相当全体断面図である。
【００２９】
内容器２０の中空の突条２１ｃ、２１ｃ…、突起２１ｄ、２１ｄ…は、外容器１０の各側壁の内面に当接することにより、水平方向の衝撃を吸収する。また、下向きドーム状の底部２３、中空の突条２３ａは、垂直方向の衝撃を吸収する。そこで、突条２１ｃ、２１ｃ…、２３ａ、突起２１ｄ、２１ｄ…は、それぞれクッション性の突部となっており、内容器２０の緩衝性を実現している。ただし、各突条２１ｃ、２３ａ、各突起２１ｄは、それぞれ錠剤Ｔが挟まったり、入り込んで抜け出なくなったりしないように、適切な大きさ、形状に形成するものとする。
【００３０】
なお、内容器２０を成形する際のパーティングラインは、たとえば突条２１ｃ、２１ｃ側の２面２１ａ、２１ａの中央を上下に走るように、すなわち２分割の割り型の分離方向を２面２１ｂ、２１の方向（図４（Ａ）の矢印Ｋ1 、Ｋ1 方向）に定めるのがよい。
【００３１】
以上の説明において、内容器２０の底部２３の突条２３ａは、２条以上を平行に設けてもよく、必要なクッション性が得られる限り、複数の中空の突起に代え、または、突条と突起とを併用してもよい。また、胴部２１の各面２１ａ、２１ｂの突条２１ｃ、突起２１ｄについても、同様に任意の組合せ形態に代えてもよい。
【産業上の利用可能性】
【００３２】
この発明は、輸送中、保管中などに生じる機械的な衝撃から内部の錠剤Ｔ、Ｔ…を有効に保護する用途に広く適用することができる。
【符号の説明】
【００３３】
ｄ…隙間
１０…外容器
１２…口部
２０…内容器
２１…胴部
２１ａ、２１ｂ…面
２１ｃ…突条
２１ｄ…突起
２２…開口部
２２ａ…外フランジ
２２ｃ…円弧部
２２ｄ…切欠部
２３…底部
２３ａ…突条
２４…凹溝
特許出願人          伸晃化学株式会社
代理人  弁理士        松  田  忠  秋
【図１】
2010285157.tif 000003
【図２】
2010285157.tif 000004
【図３】
2010285157.tif 000005
【図４】
2010285157.tif 000006
【図５】
2010285157.tif 000007
【図６】
2010285157.tif 000008